【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
所定の特性を有するマイクロ波信号を発生させるように適合された信号発生器；
該発生器に接続され、マイクロ波エネルギーを組織に適用するように適合されたアプリケータであって、該アプリケータは、１つ以上のマイクロ波アンテナおよび１つの組織インターフェースを備える、アプリケータ；
該組織インターフェースに接続された減圧源；
該組織インターフェースに接続された冷却剤源；ならびに
該信号発生器、該減圧源、および該冷却剤源を制御するように適合された制御器、
を備える、マイクロ波エネルギーを組織に適用するためのシステム。
【請求項２】
前記マイクロ波信号が、約４ＧＨｚ〜約１０ＧＨｚの範囲の周波数を有する、請求項１に記載のシステム。
【請求項３】
前記マイクロ波信号が、約５ＧＨｚ〜約６．５ＧＨｚの範囲の周波数を有する、請求項２に記載のシステム。
【請求項４】
前記マイクロ波信号が、約５．８ＧＨｚの周波数を有する、請求項３に記載のシステム。
【請求項５】
前記マイクロ波アンテナが、電磁放射線の電場成分が前記組織の外側表面に対して実質的に平行になるように偏光した電磁放射線を放射するように構成されたアンテナを備える、請求項１に記載のシステム。
【請求項６】
前記組織が第一の層および第二の層を備え、該第二の層は該第一の層より下にあり、前記制御器は、ピーク電力損失密度プロフィールが該第二の層において生じるように、該システムがエネルギーを送達するように構成されている、請求項１に記載のシステム。
【請求項７】
組織インターフェース；
マイクロ波エネルギー送達デバイス；
該組織インターフェースと該マイクロ波エネルギーデバイスとの間に配置された冷却要素であって、該冷却要素は、該組織インターフェースに配置された冷却プレートを備える、冷却要素；および
該冷却要素と該マイクロ波送達デバイスとの間に配置された冷却流体であって、該冷却流体は、該冷却要素の誘電率より大きい誘電率を有する、冷却流体、
を備える、標的組織にマイクロ波エネルギーを送達するための装置。
【請求項８】
組織収集チャンバを有する組織インターフェース；
冷却プレートを有する冷却要素；および
マイクロ波アンテナを有するマイクロ波エネルギー送達デバイス、
を備える、組織標的領域にマイクロ波エネルギーを送達するための装置。
【請求項９】
標的領域を含む組織を上昇させて該組織を冷却プレートと接触させるように適合された減圧チャンバであって、該冷却プレートは、該標的領域の上の皮膚表面と接触し、該皮膚表面を冷却し、そして該皮膚組織を該マイクロ波エネルギー送達デバイスから物理的に分離するように適合されている、減圧チャンバ；および
熱効果を生じさせるために充分なエネルギーを該標的領域に送達するように構成されたマイクロ波アンテナ、
を備える、組織の標的領域にマイクロ波エネルギーを送達するための装置。
【請求項１０】
マイクロ波アンテナ；
該マイクロ波アンテナと該組織との間に配置された流体チャンバ；および
該冷却チャンバと該組織との間に配置された冷却プレート、
を備える、マイクロ波エネルギーを組織内にカップリングさせるためのシステム。
【手続補正２】
【補正対象書類名】明細書
【補正対象項目名】０００９
【補正方法】変更
【補正の内容】
【０００９】
電磁エネルギーが皮膚表面より下の組織の構造を加熱するために使用され、そして皮膚表面または皮膚表面に隣接する組織に対する損傷を制限または防止することが望ましい場合、ピーク温度を組織内の深部に移動させるように、温度勾配を改変することが可能である。組織内の温度勾配は、例えば、外部機構を使用して熱を皮膚表面の近くの組織から除去することによって、皮膚表面より下の組織内にピーク温度を移動させるように改変され得る。熱を皮膚表面から除去する外部機構としては、例えば、皮膚表面および隣接する層を冷却する熱だめが挙げられ得る。外部機構が皮膚の表面から熱を除去するために使用される場合、この熱は、電磁放射線がエネルギーをその組織に蓄積させるにつれて、除去され得る。従って、外部機構が使用されて熱を皮膚の表面および隣接する層から除去する場合、エネルギーは依然として、皮膚表面に隣接する組織により実質的に同じ速度で吸収され（そして冷却される組織の電力損失密度およびＳＡＲは実質的に一定なままであり、冷却により影響を受けない）が、熱が蓄積し得るより速く熱を除去することによって損傷が防止され、冷却される組織（例えば、皮膚表面に隣接する組織）の温度が、組織損傷が起こるかまたは外傷が形成され得る温度に達することを防止する。
例えば、本発明は以下の項目を提供する。
（項目１）
所定の特性を有するマイクロ波信号を発生させるように適合された信号発生器；
該発生器に接続され、マイクロ波エネルギーを組織に適用するように適合されたアプリケータであって、該アプリケータは、１つ以上のマイクロ波アンテナおよび１つの組織インターフェースを備える、アプリケータ；
該組織インターフェースに接続された減圧源；
該組織インターフェースに接続された冷却剤源；ならびに
該信号発生器、該減圧源、および該冷却剤源を制御するように適合された制御器、
を備える、マイクロ波エネルギーを組織に適用するためのシステム。
（項目２）
上記マイクロ波信号が、約４ＧＨｚ〜約１０ＧＨｚの範囲の周波数を有する、項目１に記載のシステム。
（項目３）
上記マイクロ波信号が、約５ＧＨｚ〜約６．５ＧＨｚの範囲の周波数を有する、項目２に記載のシステム。
（項目４）
上記マイクロ波信号が、約５．８ＧＨｚの周波数を有する、項目３に記載のシステム。
（項目５）
上記マイクロ波アンテナが、電磁放射線の電場成分が上記組織の外側表面に対して実質的に平行になるように偏光した電磁放射線を放射するように構成されたアンテナを備える、項目１に記載のシステム。
（項目６）
上記組織が第一の層および第二の層を備え、該第二の層は該第一の層より下にあり、上記制御器は、ピーク電力損失密度プロフィールが該第二の層において生じるように、該システムがエネルギーを送達するように構成されている、項目１に記載のシステム。
（項目７）
組織インターフェース；
マイクロ波エネルギー送達デバイス；
該組織インターフェースと該マイクロ波エネルギーデバイスとの間に配置された冷却要素であって、該冷却要素は、該組織インターフェースに配置された冷却プレートを備える、冷却要素；および
該冷却要素と該マイクロ波送達デバイスとの間に配置された冷却流体であって、該冷却流体は、該冷却要素の誘電率より大きい誘電率を有する、冷却流体、
を備える、標的組織にマイクロ波エネルギーを送達するための装置。
（項目８）
組織収集チャンバを有する組織インターフェース；
冷却プレートを有する冷却要素；および
マイクロ波アンテナを有するマイクロ波エネルギー送達デバイス、
を備える、組織標的領域にマイクロ波エネルギーを送達するための装置。
（項目９）
標的領域を含む組織を上昇させて該組織を冷却プレートと接触させるように適合された減圧チャンバであって、該冷却プレートは、該標的領域の上の皮膚表面と接触し、該皮膚表面を冷却し、そして該皮膚組織を該マイクロ波エネルギー送達デバイスから物理的に分離するように適合されている、減圧チャンバ；および
熱効果を生じさせるために充分なエネルギーを該標的領域に送達するように構成されたマイクロ波アンテナ、
を備える、組織の標的領域にマイクロ波エネルギーを送達するための装置。
（項目１０）
マイクロ波アンテナ；
該マイクロ波アンテナと該組織との間に配置された流体チャンバ；および
該冷却チャンバと該組織との間に配置された冷却プレート、
を備える、マイクロ波エネルギーを組織内にカップリングさせるためのシステム。
（項目１１）
標的組織層および第一の組織層を、皮膚表面を通して、所定の周波数および電場特性を有する電磁エネルギーで照射する工程であって、該第一の組織層は該標的組織層の上にあり、該第一の組織層は該皮膚の表面に隣接している、工程；ならびに
電力損失密度プロフィールを生じさせる工程であって、該電力損失密度プロフィールは、該標的組織層の領域においてピーク電力損失密度を有する、工程、
を包含する、標的組織層において組織効果を生じさせる方法。
（項目１２）
冷却の非存在下で標的組織層に外傷を作製する方法であって、該標的組織層は、第一の組織層より下にあり、該第一の組織層は、皮膚表面に隣接しており、該方法は、
該標的組織層および第一の組織層を、皮膚表面を通して、所定の周波数および電場特性を有する電磁エネルギーで照射する工程であって、該第一の組織層は、該標的組織層の上にあり、該第一の組織層は、該皮膚の表面に隣接している、工程；ならびに
電力損失密度プロフィールを生じさせる工程であって、該電力損失密度プロフィールは、該標的組織層の領域においてピーク電力損失密度を有する、工程、
を包含する、方法。
（項目１３）
標的組織層において熱を発生させる方法であって、該熱は、該標的組織層の内部または近くに外傷を作製するために充分であり、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目１４）
冷却の非存在下で標的組織層に熱を発生させる方法であって、該熱は、該標的組織層の内部または近くで組織効果を生じさせるために充分であり、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目１５）
組織において温度プロフィールを生じさせる方法であって、該温度プロフィールは、標的組織層においてピークを有し、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目１６）
冷却の非存在下で組織において温度プロフィールを生じさせる方法であって、該温度プロフィールは、標的組織層においてピークを有し、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目１７）
組織の第一の層において外傷を作製する方法であって、該第一の層は、皮膚の外側表面に隣接する上部分、および該皮膚の第二の表面に隣接する下部分を有し、該方法は、
該皮膚の外側表面を、所定の電力、周波数、および電場配向を有するマイクロ波エネルギーに曝露する工程；
該第一の層の該下部分にピークを有するエネルギー密度プロフィールを生じさせる工程；ならびに
該皮膚の外側表面の該マイクロ波エネルギーへの曝露を、外傷を作製するために充分な時間にわたって継続する工程であって、該外傷は、ピークエネルギー密度領域において開始する、工程、
を包含する、方法。
（項目１８）
皮膚において外傷を作製する方法であって、該皮膚は、少なくとも外側表面、該外側表面より下の第一の層、および第二の層を有し、該方法は、
電磁エネルギーを放射するように適合されたデバイスを該外側表面に隣接させて配置する工程；
電磁エネルギーを該デバイスから放射する工程であって、該マイクロ波エネルギーは、該外側表面の領域に対して実質的に平行な電場成分を有する、工程；および
該第一の層において定常波パターンを生じさせる工程であって、該定常波パターンは、該第一の層において強め合う干渉ピークを有し、該強め合う干渉ピークから該皮膚表面までの距離は、該強め合う干渉ピークから該第一の層と該第二の層との間の界面までの距離より大きい、工程、
を包含する、方法。
（項目１９）
皮膚において温度勾配を生じさせる方法であって、該皮膚は、少なくとも外側表面、該外側表面より下の第一の層、および第二の層を有し、該方法は、
電磁エネルギーを放射するように適合されたデバイスを該外側表面に隣接させて配置する工程；
電磁エネルギーを該デバイスから放射する工程であって、該マイクロ波エネルギーは、該外側表面の領域に対して実質的に平行な電場成分を有する、工程；および
該第一の層において定常波パターンを生じさせる工程であって、該定常波パターンは、該第一の層において強め合う干渉ピークを有し、該強め合う干渉ピークから該皮膚表面までの距離は、該強め合う干渉ピークから該第一の層と該第二の層との間の界面までの距離より大きい、工程、
を包含する、方法。
（項目２０）
皮膚の皮膚層において外傷を作製する方法であって、該皮膚層は、該皮膚の外側表面に隣接する上部分、および該皮膚の皮下層に隣接する下部分を有し、該方法は、
該外側表面を、所定の電力、周波数、および電場配向を有するマイクロ波エネルギーに曝露する工程；
該皮膚層の該下部分においてピークエネルギー密度領域を生じさせる工程；ならびに
該マイクロ波エネルギーでの該皮膚の放射を、外傷を作製するために充分な時間にわたって継続する工程であって、該外傷は、該ピークエネルギー密度領域において開始する、工程、
を包含する、方法。
（項目２１）
皮膚の皮膚層において外傷を作製する方法であって、該皮膚は、少なくとも皮膚層および皮下層を有し、該方法は、
マイクロ波エネルギーを放射するように適合されたデバイスを該皮膚の外側表面に隣接させて配置する工程；および
該皮膚層の上の該皮膚の外側表面の領域に対して実質的に平行な電場成分を有するマイクロ波エネルギーを放射する工程であって、該マイクロ波エネルギーは、該皮膚層において定常波パターンを生じさせる周波数を有し、該定常波パターンは、該皮膚層において、該皮膚層と該皮下層との間の界面の近くに強め合う干渉ピークを有する、工程、
を包含する、方法。
（項目２２）
皮膚の皮膚層において外傷を作製する方法であって、該皮膚は、少なくとも皮膚層および皮下層を有し、該方法は、
マイクロ波エネルギーを放射するように適合されたデバイスを該皮膚の外側表面に隣接させて配置する工程；
該皮膚層の上の該皮膚の外側表面の領域に対して実質的に平行な電場成分を有するマイクロ波エネルギーを放射する工程であって、該マイクロ波エネルギーは、該皮膚層において定常波パターンを生じさせる周波数を有し、該定常波パターンは、該皮膚層において、該皮膚層と該皮下層との間の界面の近くに強め合う干渉ピークを有する、工程；および
該放射されたマイクロ波エネルギーを使用して、該皮膚領域の下部分を加熱し、該外傷を作製する工程、
を包含する、方法。
（項目２３）
標的組織層の内部または近くに位置する組織構造を加熱する方法であって、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目２４）
皮膚の皮膚層と皮下層との間の界面より下に位置する組織構造の少なくとも一部分の温度を上昇させる方法であって、該皮膚層は、該皮膚の外側表面に隣接する上部分、および該皮膚の皮下領域に隣接する下部分を有し、該方法は、
該皮膚に、所定の電力、周波数および電場配向を有するマイクロ波エネルギーを放射する工程；
ピークエネルギー密度領域を該皮膚層の下部分において生じさせる工程；
該ピークエネルギー密度領域における組織の誘導加熱によって、該ピークエネルギー密度領域において外傷を開始する工程；
該外傷を拡大する工程であって、該外傷は、少なくとも部分的に、該ピークエネルギー密度領域から周囲組織への熱の伝導によって拡大する、工程；
熱を、該皮膚表面および該皮膚層の上部分の少なくとも一部分から除去する工程；ならびに
該皮膚への該マイクロ波エネルギーの放射を、該外傷が該界面を越えて該皮下層内まで延びるために充分な時間にわたって継続する工程、
を包含する、方法。
（項目２５）
皮膚の皮膚層と皮下層との間の界面より下に位置する組織構造の少なくとも一部分の温度を上昇させる方法であって、該皮膚層は、該皮膚の外側表面に隣接する上部分、および該皮膚の皮下領域に隣接する下部分を有し、該方法は、
マイクロ波エネルギーを放射するように適合されたデバイスを該皮膚の外側表面に隣接させて配置する工程；
該皮膚層の上の外側表面の領域に対して実質的に平行な電場成分を有するマイクロ波エネルギーを放射する工程であって、該マイクロ波エネルギーは、該皮膚層において定常波パターンを生じさせる周波数を有し、該定常波パターンは、該皮膚層の下部分において強め合う干渉ピークを有する、工程；
該皮膚領域の下部分の組織を、該放射されたマイクロ波エネルギーを使用して加熱することにより、該皮膚領域の下部分において外傷を作製する工程；
熱を、該皮膚表面および該皮膚層の上部分の少なくとも一部分から除去して、該外傷が該皮膚層の上部分内まで広がることを防止する工程；ならびに
第一の所定の時間後に放射を止める工程であって、該所定の時間は、該組織構造の温度を上昇させるために充分である、工程、
を包含する、方法。
（項目２６）
組織へのマイクロ波エネルギーの適用を制御する方法であって、該方法は、
所定の特性を有するマイクロ波信号を発生させる工程；
該マイクロ波エネルギーを、マイクロ波アンテナおよび該マイクロ波アンテナに作動可能に接続された組織インターフェースを介して組織に適用する工程；
減圧を該組織インターフェースに供給する工程；ならびに
冷却流体を該組織インターフェースに供給する工程、
を包含する、方法。
（項目２７）
放射された電磁エネルギーを使用して組織を処置する前に該組織を配置する方法であって、該方法は、
組織インターフェースを皮膚表面に隣接させて配置する工程；
該皮膚表面を該組織インターフェースの組織チャンバ内に係合させる工程；
該皮膚の少なくとも１層を含む層を該皮膚より下の筋肉層から実質的に分離する工程；および
該皮膚表面を該組織チャンバ内に保持する工程、
を包含する、方法。